(57)【要約】      （修正有）【課題】部品点数が少なく、部品の組み立て作業も容易で安価に制作でき、使い勝手も良く、ワンタッチで操作でき、確実にロックできる携帯用飲料容器を提供する。【解決手段】金属製真空二重瓶の容器本体２の口元外周に筒状の肩部材３が螺着され、この肩部材３の内側には容器本体２内と外部とを通す飲み口筒部４が一体成形され、この飲み口筒部４を開閉可能とする蓋体６が設けられ、肩部材３の前面には、蓋体６を開閉操作させる開閉ボタン８と、開閉ボタン８の操作をロックするロックボタン１０とが設けられる。容器本体２内の飲料を飲む際には、開閉ボタン８のロックを解除して開閉ボタンを操作する。【選択図】図３
0003178720.tif 000002
【実用新案登録請求の範囲】
【請求項１】
金属製真空二重瓶の容器本体（２）の口元外周に筒状の肩部材（３）が螺着され、この肩部材（３）の内側には容器本体（２）内と外部とを通す飲み口（４ａ）を備えた飲み口筒部（４）が一体成形され、この飲み口筒部（４）を開閉可能とする蓋体（６）が設けられ、肩部材（３）の前面には、蓋体（６）を開閉操作させる開閉ボタン（８）と、開閉ボタン（８）の操作をロックするロックボタン（１０）とが設けられ、容器本体（２）内の飲料を飲む際には、開閉ボタン（８）のロックを解除して開閉ボタンを操作し、蓋体（６）を飲み口（４ａ）より開放してなる携帯用液体容器（１）に於いて、上記ロックボタン（１０）は、開閉ボタン（８）の上方より開閉ボタンの上部に差し込まれており、開閉ボタンの上方前面で上下動可能とされ、ロックボタンの移動の上限では、開閉ボタン（８）の開閉操作をロックし、ロックボタンの移動の下限では、開閉ボタン（８）の開閉操作をロック解除して開閉ボタンと共に蓋体（６）を開放可能にすることを特徴とした携帯用液体容器。            
【考案の詳細な説明】
【技術分野】
【０００１】
本発明は、ワンタッチで蓋体を開閉する携帯用液体容器に関するものである。
【背景技術】
【０００２】
従来、携帯用液体容器としては、外装体に囲まれた内容器の口元に中栓と中栓に被さったコップとをそれぞれ着脱自在に装着し、外装体の肩部に把手又はハンドルを装着し、内容器の液体を飲む時、液体容器本体よりコップを取り外した後に、中栓を緩めコップに液体容器本体内の液体を注ぎ、コップに口を付けて飲む注ぎタイプであった。ところがこの注ぎタイプに変わって、コップを不要とし液体容器本体の中栓キャップを開放した後、液体容器本体に備えた飲み口に口を直接付けて飲む口付けタイプが特開２００５−１９３９４４号公報（特許文献１、図１参照）として存在する。
【先行技術文献】
【特許文献】
【０００３】
【特許文献１】特開２００５−１９３９４４号公報（図１参照）
【０００４】
以下、特許文献１の図１により従来の携帯用液体容器について説明する。この特許文献１の携帯用液体容器である飲料用容器、特にその栓体のロック構造は、蓋部材の回動端に設けられた係合片に係脱可能な係合部を上部に有すると共に、係合部を係止片との係合方向に付勢する付勢手段を有したロックボタンと、該ロックボタンの下部と口栓部材の外周壁との間に挿入されたときにロックボタンのロック解除方向への動きを規制する一方、下方へスライドされ非挿入位置に位置したときにロックボタンのロック解除方向への動きを許容するスライド式ストッパを有するものである。このスライド式ストッパの取り付け構造がロックボタンの真下でロックボタンとは全く同調せずに存在し、このスライド式ストッパがロックボタンの内側に位置するときにはロックし、スライド式ストッパがロックボタンの内側から外れた時にロックが解除されるという構造である。
【考案の概要】
【考案が解決しようとする課題】
【０００５】
ところが、このような構成によれば、ロック手段、スライド式ストッパ手段と共に携帯用液体容器本体の正面部上方の狭いスペース間にそれぞれ各部材を配置しなければならず、しかも部品点数も多く煩雑で組み立て作業が極めて難しいという問題点があった。
【課題を解決するための手段】
【０００６】
金属製真空二重瓶の容器本体２の口元外周に筒状の肩部材３が螺着され、この肩部材３の内側には容器本体２内と外部とを通す飲み口４ａを備えた飲み口筒部４が一体成形され、この飲み口筒部４を開閉可能とする蓋体６が設けられ、肩部材３の前面には、蓋体６を開閉操作させる開閉ボタン８と、開閉ボタン８の操作をロックするロックボタン１０とが設けられ、容器本体２内の飲料を飲む際には、開閉ボタン８のロックを解除して開閉ボタンを操作し、蓋体６を飲み口４ａより開放してなる携帯用液体容器１に於いて、上記ロックボタン１０は、開閉ボタン８の上方より開閉ボタンの上部に差し込まれており、開閉ボタンの上方前面で上下動可能とされ、ロックボタンの移動の上限では、開閉ボタン８の開閉操作をロックし、ロックボタンの移動の下限では、開閉ボタン８の開閉操作をロック解除して開閉ボタンと共に蓋体６を開放可能にする構成としている。
【考案の効果】
【０００７】
本発明は、従来の問題点を解決したものであって、部品点数が極めて少なく、部品の組み立て作業も極めて容易で安価に制作できると共に使い勝手も非常に良く、ワンタッチで操作でき、確実にロックできる携帯用飲料容器を提供するにある。
【図面の簡単な説明】
【０００８】
【図１】本発明実施例の斜視図。
【図２】本発明実施例の縦断面図。
【図３】本発明実施例の上部を示す縦断面図。
【図４】本発明他実施例の蓋体を開放する状態の一部縦断面図。
【図５】本発明他実施例の蓋体のロック状態の縦断面図。
【図６】本発明他実施例の蓋体をロックした状態の一部縦断面図。
【図７】本発明他実施例の要部を示す分解斜視図。
【図８】本発明他実施例の開閉ボタンとロックボタンの裏側を示す分解斜視図。
【考案を実施するための形態】
【０００９】
携帯用液体容器１は、内筒２ａ、外筒２ｂ、間を真空引きした容器本体２と、この容器本体上端口元に装着し、容器本体の口元と連通する飲み口４ａを備えた肩部材３と、この肩部材の後方に枢支し、飲み口４ａを開閉する蓋部材５と、この蓋部材の蓋体６を係合する開閉操作部材７と、この開閉操作部材の開閉ボタン８をロックするロック部材９とから構成されている。   
【００１０】
容器本体２の内筒２ａには、図２に示すように、ステンレス等の金属材料にて有底筒状に形成されており、内筒胴部と、この内筒胴部の上端より上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。        
【００１１】
容器本体２の外筒２ｂには、図２に示すように、内筒２ａと間隔を隔てて内筒胴部を囲む外筒胴部と、この外筒胴部の上端より上方に向けて内側にすぼめた外筒傾斜部と、この外筒傾斜部の上端より上方に延びた外筒小径部と、この外筒小径部の上端より更に内側にすぼめてその先端が上方に延びた口元接合部とが一体的に形成されている。内筒胴部の底を囲む外筒２ｂの底部と外筒胴部とは、同一材料にて別部材として結合されているが、底部と外筒胴部とを同一部材で一体的に形成しても何ら支障をきたすものではない。             
【００１２】
外筒２ｂの外筒小径部の外側壁には、後述の肩部材３の雌ネジを螺着する雄ネジが刻設されている。  外筒２ｂの口元接合部と内筒２ａの内筒垂直部の上端とは、重ね合わされて溶接され、容器本体２の口元とされており、この外筒２ｂと内筒２ａとの隙間は、真空とされている。   
【００１３】
肩部材４は、図２乃至図６に示すように、内部中空で内側壁の下方に外筒２ｂの雄ネジに螺着する雌ネジを刻設している。この肩部材４の内側壁上方の前方側には、容器本体２内と連通する飲み口４ａを備えた飲み口筒部４が一体的に形成されている。                   
【００１４】
肩部材４は、図１又は図７に示すように、正面に前方へ突出した左側壁１１ａ、左側壁１１ａと間隔を隔てた右側壁１１ｂ、左側壁と右側壁間の底を結ぶ底壁１１ｃとからなるＵ字状の前壁１１を配設し、後方外側上部に後述の蓋体６を枢支する枢支部１２を設けている。     
【００１５】
この肩部材４のＵ字状の前壁１１内側には、図７に示すように、下部中央に後述の開閉操作部材７の開閉復帰バネ１３の片方を支えるバネ用突起１４が設けられ、このバネ用突起１４と間隔を隔てた上方に後述のロック部材９のロックボタン１０のロック爪部１５に当接して、後述の開閉ボタン８の後方押圧を阻止するロック爪当接部１６が設けられ、このロック爪当接部と間隔を開けた上方には、水平な閉鎖壁１７が設けられている。             
【００１６】
このＵ字状の前壁１１を形成する左、右側壁１１ａ、１１ｂには、ロック爪当接部１６と閉鎖壁１７との間に後述の軸ピン１８を挿入する軸ピン用孔１９ａ、１９ｂがそれぞれ左右同一位置に設けられている。   
【００１７】
このロック爪当接部１６は、図７に示すように、横方向に延びた水平部１６ａと、この水平部の両端よりそれぞれ下方に延びた左、右側部と、この左、右側部の下端よりそれぞれ横方向に延びた左、右下段水平部１６ｂ、１６ｃとを同一の幅と肉厚とで形成している。このようにロック爪当接部１６は、正面視でバネ用突起１４を中心にして左右対称な段状で外広がりのカギ型となっている。   
【００１８】
蓋部材５は、図３又は図５に示すように、肩部材４の飲み口４ａを開閉する蓋体６と、この蓋体を肩部材後方の枢支部１２に枢支する枢支ピン２０と、蓋体６を常時開放状態に維持しょうとするスプリング２１とからなっている。   
【００１９】
蓋体６は、図３又は図５に示すように、ほぼ逆椀状に形成されており、前面内側に後述の開閉ボタン８の係止爪８ｂと係合する係合爪６ａを設け、上壁の一部にパッキン２２を張設している。このパッキン２２は、肩部材４の飲み口４ａに当接するように設けられている。   
【００２０】
蓋体６の係合爪６ａの上方には、図３又は図５に示すように、前方に突出した突部６ｂが設けられ、この突部が肩部材４のＵ字状の前壁１１の上方壁に相当する壁となっている。      
【００２１】
開閉操作部材７は、図３又は図５に示すように、蓋体６を開閉する開閉ボタン８と、この開閉ボタンをＵ字状の前壁１１内部内に枢支する一本の軸ピン１８と、開閉ボタン８を元の位置に復帰する開閉復帰バネ１３とからなっている。この開閉ボタン８は、肩部材４のＵ字状の前壁１１内部内に収められて、このＵ字状の前壁１１内部内を軸ピン１８を介して前後に揺動自在としている。   
【００２２】
開閉ボタン８は、図３又は図８に示すように、下部を薄肉としてその前面を押圧部８ａとし、この押圧部の後壁に開閉復帰バネ１３の片方を支えて開閉復帰バネを保持するバネ用固定部８ｃを設けている。開閉ボタン８の上部には、厚肉となって後述のロックボタン１０を挿入するロックボタン用窪２３を設け、上端後部に蓋体６の係合爪６ａに係合する横長の係止爪８ｂを設けている。この係止爪８ｂの下側の壁は、空洞となっている。           
【００２３】
この開閉ボタン８のロックボタン用窪２３には、図６又は図７に示すように、中央に後述のロックボタン１０を上方より差し込み挿入する垂直壁部２４を有し、この垂直壁部の左右両側より後方の後壁部２５に至る壁間に前後方向に延びた上下二段の係止溝２６ａ、２６ｂがそれぞれ設けられている。   
【００２４】
この開閉ボタン８の左右に存在する上段の係止溝２６ａ内に後述のロックボタン１０の左右に存在する係合突起２７，２７がそれぞれ嵌合されている状態では、開閉ボタン８の操作が不能となって蓋体６は開放されず、左右に存在する下段の係止溝２６ｂ内に左右に存在する係合突起２７，２７がそれぞれ嵌合されている状態では、開閉ボタン８の揺動操作が可能となって蓋体６は開放されることとなる。   
【００２５】
ロックボタン１０は、図５乃至図８に示すように、ロックボタン用窪２３内にあって、上下動可能に挿入されており、上下動操作を行う前面壁部１０ａと、開閉ボタン８の垂直壁部２４を下側から挿入する空洞部１０と、この空洞部の後壁で開閉ボタン８の垂直壁部２４と後壁部２５との間に挿入される後面壁部１０ｃとからなっている。                     
【００２６】
ロックボタン１０の後面壁部１０ｃの後壁には、図８に示すように、中央の上部ロック爪部１５ａと、この上部ロック爪部１５ａと間隔を隔てた下方の左右両側に左、右ロック爪部１５ｂ、１５ｃとからなるロック爪部１５を突設している。   
【００２７】
このロックボタン１０は、開閉ボタン８の上方より、先ずロックボタン１０の後面壁部１０ｃを開閉ボタン８の後壁部２５の空洞に向けて斜め下方に押し下げ、開閉ボタン８の垂直壁部２４をロックボタン１０の空洞部１０内に挿入させれば、開閉ボタン８とセットできる。   
【００２８】
このロックボタン１０が開閉ボタン８にセットされれば、開閉ボタンに片方をセットした開閉復帰バネ１３の他方を肩部材４のバネ用突起１４に差し込んだ状態で開閉ボタン８のピン用透孔２８ａ、２８ｃと肩部材４のＵ字状の前壁１１の左、右側壁１１ａ、１１ｂに設けた軸ピン用孔１９ａ、１９ｂとを合わせて、片側より軸ピン１８を嵌め込めば開閉操作部材７と共にロック部材９もセットできる。   
【００２９】
従って、組み立てに際しては、開閉ボタン８の空洞部１０内に工具なしでセットでき、更にこのセットされた開閉ボタンを肩部材４のＵ字状の前壁内に差し込み、軸ピン用孔及びピン用透孔を合わせて軸ピンを嵌め込むだけで、組み立て作業の煩わしさもなく、極めて簡単にセットすることができる。   
【００３０】
次に、操作について説明する。先ず、蓋体の閉鎖状態についてみると、図５乃至図６に示すように、ロックボタン１０は、上方に押し上げられた状態であって、ロックボタンの左右の係合突起２７，２７がそれぞれ開閉ボタン８の左右の上段の係止溝２６ａ内にそれぞれ嵌合している。そして、この状態では、ロックボタンの上部ロック爪部１５ａと肩部材４のロック爪当接部１６の水平部１６ａとが当接し、左、右ロック爪部１５ｂ、１５ｃがそれぞれ左、右下段水平部１６ｂ、１６ｃに当接しており、軸ピン１８は、このロックボタンの上部ロック爪部１５ａの常に上方に位置している。   
【００３１】
従って、たとえ開閉ボタン８の押圧部８ａに指を掛けて内側に向けて押圧しても、同時に移動するロックボタンのロック爪部１５がロック爪当接部１６の前面に当接しているために、図５乃至図６に示すように、押圧できず、開閉ボタン８の係止爪８ｂが蓋体６の係合爪６ａと係合したままとなって、離れず確実にロックしたままとなる。   
【００３２】
更に、蓋体の開放状態についてみると、図３乃至図４に示すように、ロックボタン１０が下方に押し下げられた状態であって、ロックボタンの左右の係合突起２７，２７がそれぞれ開閉ボタン８の左右の下段の係止溝２６ｂ内にそれぞれ嵌合している。そして、この状態では、ロックボタンの上部ロック爪部１５ａが肩部材４のロック爪当接部１６に当接せず、そのロック爪当接部１６下方に位置している。   
【００３３】
従って、開閉ボタン８の押圧部８ａに指を掛けて内側に向けて押圧すれば、ロックボタンのロック爪部１５がロック爪当接部１６に当接することがないために、図３乃至図４に示すように、開閉ボタン８と共にロックボタン１０も上方斜め前方に向けて揺動して、開閉ボタン８の係止爪８ｂより蓋体６の係合爪６ａがはずれて、スプリング２１の反発力によって蓋体が開くこととなる。  
【符号の説明】
【００３４】
１…携帯用飲料容器
２…容器本体
２ａ…内筒
２ｂ…外筒
３…肩部材
４…飲み口筒部
４ａ…飲み口
５…飲み口
６…蓋体
６ａ…係合爪
６ｂ…突部
７…開閉操作部材
８…開閉ボタン
８ａ…押圧部
８ｂ…係止爪
８ｃ…バネ用固定部
９…ロック部材
１０…ロックボタン
１０ａ…前面壁部
１０ｂ…空洞部
１０ｃ…後面壁部
１１…Ｕ字状の前壁
１１ａ…左側壁
１１ｂ…右側壁
１１ｃ…底壁
１２…枢支部
１３…開閉復帰バネ
１４…バネ用突起
１５…ロック爪部
１５ａ…上部ロック爪部
１５ｂ…左ロック爪部
１５ｃ…右ロック爪部
１６…ロック爪当接部
１６ａ…水平部
１６ｂ…左下段水平部
１６ｃ…右下段水平部
１７…閉鎖壁
１８…軸ピン
１９ａ…軸ピン用孔
１９ｂ…軸ピン用孔
２０…枢支ピン
２１…スプリング
２２…パッキン
２３…ロックボタン用窪
２４…垂直壁部
２５…後壁部
２６ａ…係止溝
２６ｂ…係止溝
２７…係合突起
２８ａ…ピン用透孔
２８ｂ…ピン用透孔                                                
【図１】
0003178720.tif 000003
【図２】
0003178720.tif 000004
【図３】
0003178720.tif 000005
【図４】
0003178720.tif 000006
【図５】
0003178720.tif 000007
【図６】
0003178720.tif 000008
【図７】
0003178720.tif 000009
【図８】
0003178720.tif 000010
【手続補正書】
【提出日】平成24年7月31日(2012.7.31)
【手続補正１】
【補正対象書類名】実用新案登録請求の範囲
【補正対象項目名】全文
【補正方法】変更
【補正の内容】
【実用新案登録請求の範囲】
【請求項１】
金属製真空二重瓶の容器本体（２）の口元外周に筒状の肩部材（３）が螺着され、この肩部材（３）の内側には容器本体（２）内と外部とを通す飲み口（４ａ）を備えた飲み口筒部（４）が一体成形され、この飲み口筒部（４）を開閉可能とする蓋体（６）が設けられ、肩部材（３）の前面には、蓋体（６）を開閉操作させる開閉ボタン（８）と、開閉ボタン（８）の操作をロックするロックボタン（１０）とが設けられ、容器本体（２）内の飲料を飲む際には、開閉ボタン（８）のロックを解除して開閉ボタンを操作し、蓋体（６）を飲み口（４ａ）より開放してなる携帯用飲料容器（１）に於いて、上記ロックボタン（１０）は、開閉ボタン（８）の上方より開閉ボタンの上部に差し込まれており、開閉ボタンの上方前面で上下動可能とされ、ロックボタンの移動の上限では、開閉ボタン（８）の開閉操作をロックし、ロックボタンの移動の下限では、開閉ボタン（８）の開閉操作をロック解除して開閉ボタンと共に蓋体（６）を開放可能にすることを特徴とした携帯用飲料容器。                            
【手続補正２】
【補正対象書類名】明細書
【補正対象項目名】全文
【補正方法】変更
【補正の内容】
【考案の詳細な説明】
【技術分野】
【０００１】
本考案は、ワンタッチで蓋体を開閉する携帯用飲料容器に関するものである。
【背景技術】
【０００２】
従来、携帯用飲料容器としては、外装体に囲まれた内容器の口元に中栓と中栓に被さったコップとをそれぞれ着脱自在に装着し、外装体の肩部に把手又はハンドルを装着し、内容器の飲料を飲む時、容器本体よりコップを取り外した後に、中栓を緩めコップに容器本体内の飲料を注ぎ、コップに口を付けて飲む注ぎタイプであった。ところがこの注ぎタイプに変わって、コップを不要とし容器本体の中栓キャップを開放した後、容器本体に備えた飲み口に口を直接付けて飲む口付けタイプが特開２００５−１９３９４４号公報（特許文献１、図１参照）として存在する。
【先行技術文献】
【特許文献】
【０００３】
【特許文献１】特開２００５−１９３９４４号公報（図１参照）
【０００４】
以下、特許文献１の図１により従来の携帯用飲料容器について説明する。この特許文献１の携帯用飲料容器である飲料容器、特にその栓体のロック構造は、蓋部材の回動端に設けられた係合片に係脱可能な係合部を上部に有すると共に、係合部を係止片との係合方向に付勢する付勢手段を有したロックボタンと、該ロックボタンの下部と口栓部材の外周壁との間に挿入されたときにロックボタンのロック解除方向への動きを規制する一方、下方へスライドされ非挿入位置に位置したときにロックボタンのロック解除方向への動きを許容するスライド式ストッパを有するものである。このスライド式ストッパの取り付け構造がロックボタンの真下でロックボタンとは全く同調せずに存在し、このスライド式ストッパがロックボタンの内側に位置するときにはロックし、スライド式ストッパがロックボタンの内側から外れた時にロックが解除されるという構造である。
【考案の概要】
【考案が解決しようとする課題】
【０００５】
ところが、このような構成によれば、ロック手段、スライド式ストッパ手段と共に携帯用飲料容器本体の正面部の狭いスペース間にそれぞれ各部材を配置しなければならず、しかも部品点数も多く煩雑で組み立て作業が極めて難しいという問題点があった。
【課題を解決するための手段】
【０００６】
金属製真空二重瓶の容器本体２の口元外周に筒状の肩部材３が螺着され、この肩部材３の内側には容器本体２内と外部とを通す飲み口４ａを備えた飲み口筒部４が一体成形され、この飲み口筒部４を開閉可能とする蓋体６が設けられ、肩部材３の前面には、蓋体６を開閉操作させる開閉ボタン８と、開閉ボタン８の操作をロックするロックボタン１０とが設けられ、容器本体２内の飲料を飲む際には、開閉ボタン８のロックを解除して開閉ボタンを操作し、蓋体６を飲み口４ａより開放してなる携帯用飲料容器１に於いて、上記ロックボタン１０は、開閉ボタン８の上方より開閉ボタンの上部に差し込まれており、開閉ボタンの上方前面で上下動可能とされ、ロックボタンの移動の上限では、開閉ボタン８の開閉操作をロックし、ロックボタンの移動の下限では、開閉ボタン８の開閉操作をロック解除して開閉ボタンと共に蓋体６を開放可能にする構成としている。
【考案の効果】
【０００７】
本考案は、従来の問題点を解決したものであって、部品点数が極めて少なく、部品の組み立て作業も極めて容易で安価に制作できると共に使い勝手も非常に良く、ワンタッチで操作でき、確実にロックできる携帯用飲料容器を提供するにある。
【図面の簡単な説明】
【０００８】
【図１】本考案実施例の斜視図。
【図２】本考案実施例の縦断面図。
【図３】本考案実施例の上部を示す縦断面図。
【図４】本考案他実施例の蓋体を開放する状態の一部縦断面図。
【図５】本考案他実施例の蓋体のロック状態の縦断面図。
【図６】本考案他実施例の蓋体をロックした状態の一部縦断面図。
【図７】本考案他実施例の要部を示す分解斜視図。
【図８】本考案他実施例の開閉ボタンとロックボタンの裏側を示す分解斜視図。
【考案を実施するための形態】
【０００９】
携帯用飲料容器１は、内筒２ａ、外筒２ｂ、間を真空引きした容器本体２と、この容器本体上端口元に装着し、容器本体の口元と連通する飲み口４ａを備えた肩部材３と、この肩部材の後方に枢支し、飲み口４ａを開閉する蓋部材５と、この蓋部材の蓋体６を係合する開閉操作部材７と、この開閉操作部材の開閉ボタン８をロックするロック部材９とから構成されている。    
【００１０】
容器本体２の内筒２ａには、図２に示すように、ステンレス等の金属材料にて有底筒状に形成されており、内筒胴部と、この内筒胴部の上端より上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。        
【００１１】
容器本体２の外筒２ｂには、図２に示すように、内筒２ａと間隔を隔てて内筒胴部を囲む外筒胴部と、この外筒胴部の上端より上方に向けて内側にすぼめた外筒傾斜部と、この外筒傾斜部の上端より上方に延びた外筒小径部と、この外筒小径部の上端より更に内側にすぼめてその先端が上方に延びた口元接合部とが一体的に形成されている。内筒胴部の底を囲む外筒２ｂの底部と外筒胴部とは、同一材料にて別部材として結合されているが、底部と外筒胴部とを同一部材で一体的に形成しても何ら支障をきたすものではない。             
【００１２】
外筒２ｂの外筒小径部の外側壁には、後述の肩部材３の雌ネジを螺着する雄ネジが刻設されている。  外筒２ｂの口元接合部と内筒２ａの内筒垂直部の上端とは、重ね合わされて溶接され、容器本体２の口元とされており、この外筒２ｂと内筒２ａとの隙間は、真空とされている。    
【００１３】
肩部材４は、図２乃至図６に示すように、内部中空で内側壁の下方に外筒２ｂの雄ネジに螺着する雌ネジを刻設している。この肩部材４の内側壁上方の前方側には、容器本体２内と連通する飲み口４ａを備えた飲み口筒部４が一体的に形成されている。                   
【００１４】
肩部材４は、図１又は図７に示すように、正面に前方へ突出した左側壁１１ａ、左側壁１１ａと間隔を隔てた右側壁１１ｂ、左側壁と右側壁間の底を結ぶ底壁１１ｃとからなるＵ字状の前壁１１を配設し、後方外側上部に後述の蓋体６を枢支する枢支部１２を設けている。      
【００１５】
この肩部材４のＵ字状の前壁１１内側には、図７に示すように、下部中央に後述の開閉操作部材７の開閉復帰バネ１３の片方を支えるバネ用突起１４が設けられ、このバネ用突起１４と間隔を隔てた上方に後述のロック部材９のロックボタン１０のロック爪部１５に当接して、後述の開閉ボタン８の後方押圧を阻止するロック爪当接部１６が設けられ、このロック爪当接部と間隔を開けた上方には、水平な閉鎖壁１７が設けられている。             
【００１６】
このＵ字状の前壁１１を形成する左、右側壁１１ａ、１１ｂには、ロック爪当接部１６と閉鎖壁１７との間に後述の軸ピン１８を挿入する軸ピン用孔１９ａ、１９ｂがそれぞれ左右同一位置に設けられている。    
【００１７】
このロック爪当接部１６は、図７に示すように、横方向に延びた水平部１６ａと、この水平部の両端よりそれぞれ下方に延びた左、右側部と、この左、右側部の下端よりそれぞれ横方向に延びた左、右下段水平部１６ｂ、１６ｃとを同一の幅と肉厚とで形成している。このようにロック爪当接部１６は、正面視でバネ用突起１４を中心にして左右対称な段状で外広がりのカギ型となっている。    
【００１８】
蓋部材５は、図３又は図５に示すように、肩部材４の飲み口４ａを開閉する蓋体６と、この蓋体を肩部材後方の枢支部１２に枢支する枢支ピン２０と、蓋体６を常時開放状態に維持しょうとするスプリング２１とからなっている。    
【００１９】
蓋体６は、図３又は図５に示すように、ほぼ逆椀状に形成されており、前面内側に後述の開閉ボタン８の係止爪８ｂと係合する係合爪６ａを設け、上壁の一部にパッキン２２を張設している。このパッキン２２は、肩部材４の飲み口４ａに当接するように設けられている。    
【００２０】
蓋体６の係合爪６ａの上方には、図３又は図５に示すように、前方に突出した突部６ｂが設けられ、この突部が肩部材４のＵ字状の前壁１１の上方壁に相当する壁となっている。      
【００２１】
開閉操作部材７は、図３又は図５に示すように、蓋体６を開閉する開閉ボタン８と、この開閉ボタンをＵ字状の前壁１１内部内に枢支する一本の軸ピン１８と、開閉ボタン８を元の位置に復帰する開閉復帰バネ１３とからなっている。この開閉ボタン８は、肩部材４のＵ字状の前壁１１内部内に収められて、このＵ字状の前壁１１内部内を軸ピン１８を介して前後に揺動自在としている。    
【００２２】
開閉ボタン８は、図３又は図８に示すように、下部を薄肉としてその前面を押圧部８ａとし、この押圧部の後壁に開閉復帰バネ１３の片方を支えて開閉復帰バネを保持するバネ用固定部８ｃを設けている。開閉ボタン８の上部には、厚肉となって後述のロックボタン１０を挿入するロックボタン用窪２３を設け、上端後部に蓋体６の係合爪６ａに係合する横長の係止爪８ｂを設けている。この係止爪８ｂの下側の壁は、空洞となっている。            
【００２３】
この開閉ボタン８のロックボタン用窪２３には、図６又は図７に示すように、中央に後述のロックボタン１０を上方より差し込み挿入する垂直壁部２４を有し、この垂直壁部の左右両側より後方の後壁部２５に至る壁間に前後方向に延びた上下二段の係止溝２６ａ、２６ｂがそれぞれ設けられている。    
【００２４】
この開閉ボタン８の左右に存在する上段の係止溝２６ａ内に後述のロックボタン１０の左右に存在する係合突起２７，２７がそれぞれ嵌合されている状態では、開閉ボタン８の操作が不能となって蓋体６は開放されず、左右に存在する下段の係止溝２６ｂ内に左右に存在する係合突起２７，２７がそれぞれ嵌合されている状態では、開閉ボタン８の揺動操作が可能となって蓋体６は開放されることとなる。    
【００２５】
ロックボタン１０は、図５乃至図８に示すように、ロックボタン用窪２３内にあって、上下動可能に挿入されており、上下動操作を行う前面壁部１０ａと、開閉ボタン８の垂直壁部２４を下側から挿入する空洞部１０ｂと、この空洞部の後壁で開閉ボタン８の垂直壁部２４と後壁部２５との間に挿入される後面壁部１０ｃとからなっている。                   
【００２６】
ロックボタン１０の後面壁部１０ｃの後壁には、図８に示すように、中央の上部ロック爪部１５ａと、この上部ロック爪部１５ａと間隔を隔てた下方の左右両側に左、右ロック爪部１５ｂ、１５ｃとからなるロック爪部１５を突設している。    
【００２７】
このロックボタン１０は、開閉ボタン８の上方より、先ずロックボタン１０の後面壁部１０ｃを開閉ボタン８の後壁部２５の空洞に向けて斜め下方に押し下げ、開閉ボタン８の垂直壁部２４をロックボタン１０の空洞部１０内に挿入させれば、開閉ボタン８とセットできる。    
【００２８】
このロックボタン１０が開閉ボタン８にセットされれば、開閉ボタンに片方をセットした開閉復帰バネ１３の他方を肩部材４のバネ用突起１４に差し込んだ状態で開閉ボタン８のピン用透孔２８ａ、２８ｃと肩部材４のＵ字状の前壁１１の左、右側壁１１ａ、１１ｂに設けた軸ピン用孔１９ａ、１９ｂとを合わせて、片側より軸ピン１８を嵌め込めば開閉操作部材７と共にロック部材９もセットできる。    
【００２９】
従って、組み立てに際しては、開閉ボタン８の空洞部１０内に工具なしでセットでき、更にこのセットされた開閉ボタンを肩部材４のＵ字状の前壁内に差し込み、軸ピン用孔及びピン用透孔を合わせて軸ピンを嵌め込むだけで、組み立て作業の煩わしさもなく、極めて簡単にセットすることができる。    
【００３０】
次に、操作について説明する。先ず、蓋体の閉鎖状態についてみると、図５乃至図８に示すように、ロックボタン１０は、上方に押し上げられた状態であって、ロックボタンの左右の係合突起２７，２７がそれぞれ開閉ボタン８の左右の上段の係止溝２６ａ内にそれぞれ嵌合している。そして、この状態では、ロックボタンの上部ロック爪部１５ａと肩部材４のロック爪当接部１６の水平部１６ａとが当接し、左、右ロック爪部１５ｂ、１５ｃがそれぞれ左、右下段水平部１６ｂ、１６ｃに当接しており、軸ピン１８は、このロックボタンの上部ロック爪部１５ａの常に上方に位置している。    
【００３１】
従って、たとえ開閉ボタン８の押圧部８ａに指を掛けて内側に向けて押圧しても、同時に移動するロックボタンのロック爪部１５がロック爪当接部１６の前面に当接しているために、図５乃至図６に示すように、押圧できず、開閉ボタン８の係止爪８ｂが蓋体６の係合爪６ａと係合したままとなって、離れず確実にロックしたままとなる。    
【００３２】
更に、蓋体の開放状態についてみると、図３乃至図８に示すように、ロックボタン１０が下方に押し下げられた状態であって、ロックボタンの左右の係合突起２７，２７がそれぞれ開閉ボタン８の左右の下段の係止溝２６ｂ内にそれぞれ嵌合している。そして、この状態では、ロックボタンの上部ロック爪部１５ａが肩部材４のロック爪当接部１６に当接せず、そのロック爪当接部１６下方に位置している。    
【００３３】
従って、開閉ボタン８の押圧部８ａに指を掛けて内側に向けて押圧すれば、ロックボタンのロック爪部１５がロック爪当接部１６に当接することがないために、図３乃至図４に示すように、開閉ボタン８と共にロックボタン１０も上方斜め前方に向けて揺動して、開閉ボタン８の係止爪８ｂより蓋体６の係合爪６ａがはずれて、スプリング２１の反発力によって蓋体が開くこととなる。  
【符号の説明】
【００３４】
１…携帯用飲料容器
２…容器本体
３…肩部材
４…飲み口筒部
４ａ…飲み口５…蓋部材
６…蓋体
６ａ…係合爪
７…開閉操作部材
８…開閉ボタン
８ａ…押圧部
８ｂ…係止爪
９…ロック部材
１０…ロックボタン
１０ａ…前面壁部
１０ｂ…空洞部
１０ｃ…後面壁部
１１…Ｕ字状の前壁
１３…開閉復帰バネ
１５…ロック爪部
１６…ロック爪当接部
１８…軸ピン
２３…ロックボタン用窪
２４…垂直壁部
２５…後壁部
２６ａ…係止溝
２６ｂ…係止溝
２７…係合突起